(57)【要約】【課題】火炎により屋外側又は屋内側に配置されガラス板が割れ、それが脱落した場合であっても、屋内側又は屋外側に配置されたガラス板が移動することがなく火炎が屋内側又は屋外側に通過することを有効に防止することができる新規な防火用建具を提供する。【解決手段】枠体２８の内側に配置され最も屋内側に固定された特定のガラス板３４と、この特定のガラス板３４に対向して固定された他のガラス板３３と、を備え、上記特定のガラス板３４の少なくとも上端又は左端若しくは右端の何れかは、上記他のガラス板３３の上端又は左端若しくは右端よりも上記枠体２８の内周側に接近するように所定の長さ延出されてなるとともに、上記特定のガラス板３４の延出された部位は、上記枠体２８の一部と該枠体２８内に配置された挟持部材４６により挟持されてなる。【選択図】  図３
2018141311.tif 000002
【特許請求の範囲】
【請求項１】
枠体の内側に配置されてなるとともに、最も屋外側又は最も屋内側に固定された網ガラス又は耐熱強化ガラス板とされた特定のガラス板と、この特定のガラス板に対向して固定された他のガラス板と、を備えた防火用建具において、
上記特定のガラス板の少なくとも上端又は左端若しくは右端の何れかは、上記他のガラス板の上端又は左端若しくは右端よりも上記枠体の内周側に接近するように所定の長さ延出されてなるとともに、
上記特定のガラス板の延出された部位は、上記枠体の一部と該枠体内に配置された挟持部材により挟持されてなることを特徴とする防火用建具。
【請求項２】
前記挟持部材と前記特定のガラス板の延出された部位との間又は前記枠体と該特定のガラス板の延出された部位と間の少なくとも何れかには、加熱されることにより膨張する加熱膨張材が配置されてなることを特徴とする請求項１記載の防火用建具。
【請求項３】
前記挟持部材には一方の係合部材が固定され、前記枠体の内側であって該挟持部材が配置された位置の近傍には係合凸部が固定されてなり、
上記一方の係合部材と係合凸部とは、該挟持部材を前記枠体内に配置した後に装着される他方の係合部材にそれぞれ係合されてなるとともに、該他方の係合部材には、該挟持部材が前記特定のガラス板と離間する方向に移動することを規制する移動規制片を有してなることを特徴とする請求項１又は２記載の何れかの防火用建具。
【請求項４】
前記枠体は樹脂を素材としてなるとともに、該枠体には金属板が固定されてなる一方、前記挟持部材、前記一方の係合部材、前記係合凸部及び前記他方の係合部材は、何れも金属を素材としてなり、上記係合凸部は、上記金属板と直接連結され又は間に金属製の部材を介して互いに連結されてなることを特徴とする請求項３記載の防火用建具。
【発明の詳細な説明】
【技術分野】
【０００１】
本発明は、窓、ドア等の建具に関し、特に、複数枚のガラス板が配置され防火機能を有する防火用建具に関するものである。
【背景技術】
【０００２】
これまで建築物に形成された開口を閉塞するガラス窓のような建具は、遮音性や気密性を図るために、複数のガラス板が配置された複層ガラス窓が広く採用されているが、他方では、屋内での失火による火炎が上記開口から屋外に排出されたり、屋外で発生した火炎が上記開口を介して屋内に及んだりすることを防止するために、建具には所定の遮炎性が要求されている。特に、建具にガラス板が配置されている場合には、上記火炎によりこのガラス板が局部的に加熱され割れてしまい脱落する場合が多く、こうしたガラス板の割れや脱落により生じた隙間から火炎が侵入する危険性がある。また、こうした火炎によるガラス板の割れや脱落を防止するために、金属製の網が内部に配置された所謂網ガラスと称されるガラス板が使用される場合がある。こうした網ガラスは、火炎により破損しても、金属の網がガラスの脱落を防ぎ、火炎の侵入を抑える効果を有する。また、防耐火ガラスと称されるガラス板も提案されている。この防火耐熱ガラスは、建築用としてこれまで使用されているフロートガラスに特殊な加工ないし処理を加えた耐熱ガラスである。そこで、従来、こうした遮炎性を向上させる目的で、複層ガラスの左右両辺部の外周端に金属製カバーを被着するとともに、窓枠等に内周溝部を設け、この溝部に複層ガラスの外周端を嵌合させる構造（特許文献１参照）ものが開示されている。また、ガラス板が保持されるガラス保持溝内に、ガラス板の縁部が内部に配置された補強材を配置するとともに、この補強材には、受け部材と熱膨張材とを設け、火災時には、上記受け部材が複層ガラスの下方への移動を阻止すると共に熱膨張耐火材が膨張して室内側板ガラスと補強材との間を塞ぐ構造となし、これにより、ガラス間口と補強材との間で火炎や煙が室内側と室外側とに連通するのを防止するサッシが開示されている（特許文献２参照）。
【先行技術文献】
【特許文献】
【０００３】
【特許文献１】特開２０１２−１４０７８５号公報
【特許文献２】特開２０１５−  ６８００４号公報
【発明の概要】
【発明が解決しようとする課題】
【０００４】
しかしながら、上記各特許文献に開示された防火構造又はサッシでは、火炎によりガラス板が割れ、この割れたガラスが脱落した場合には、それまで固定されていたガラス板の上端縁又は左右両端縁には空間が発生する。例えば、２枚のガラス板を構成要素とする複層ガラスの配置された建具において、屋外側から火炎が放射され、屋外側に配置されたガラス板が割れて脱落した場合には、屋内側に配置されていたガラス板の外側には、上記屋外側に配置されていたガラス板の厚みと同じ空間が形成され、残された屋内側のガラス板は上記空間の存在により自由に移動可能な状態となり、該屋内側のガラス板が移動した場合には、そこに隙間を生じ、屋内側から屋外側に又は屋外側から屋内側に空気が移動可能となり、火炎はこの空間を通過することになる。さらに、最も屋内側又は屋外側に配置された第１のガラス板と、この第１のガラス板に第１のスペーサを介して対向した第２のガラス板と、この第２のガラス板に第２のスペーサを介して対向して最も屋外側又は屋内側に配置された第３のガラス板からなる複層ガラスが構成要素とされている場合には、上記第１のガラス板、第１のスペーサ、第２のガラス板及び第２のスペーサの全てが火炎により割れて落下した場合には、第３のガラス板は、これら落下したガラス板及びスペーサの厚みを合計した長さに亘って移動可能となり大きな隙間が発生することとなる。そして、このことは、上記第３のガラス板が上記網ガラスや耐熱ガラスであっても変わることはない。すなわち、複層ガラスを構成する特定のガラス板が上記網ガラスや耐熱ガラスであっても、火炎の放射により上記特定のガラス板以外の他のガラス板やスペーサが脱落した場合には、脱落したガラス板やスペーサの厚み分のスペースが発生し、上記特定のガラス板はこのスペースを移動可能な状態となるため、火炎は、該特定のガラス板の移動に伴って発生する隙間から屋外側又は屋内側に通過されてしまうこととなる。
【０００５】
そこで、本発明は、上述した従来の防火機能を備えた建具の防火構造又はサッシが有する課題を解決するために提案されたものであって、火炎により屋外側又は屋内側に配置されガラス板が割れ、それが脱落した場合であっても、屋内側又は屋外側に配置されたガラス板が移動することがなく火炎が屋内側又は屋外側に通過することを有効に防止することができる新規な防火用建具を提供することを目的とするものである。
【課題を解決するための手段】
【０００６】
本発明は、上記課題を解決するために提案されたものであって、第１の発明（請求項１記載の発明）は、枠体の内側に配置されてなるとともに、最も屋外側又は最も屋内側に固定された網ガラス又は耐熱強化ガラス板とされた特定のガラス板と、この特定のガラス板に対向して固定された他のガラス板と、を備えた防火用建具において、上記特定のガラス板の少なくとも上端又は左端若しくは右端の何れかは、上記他のガラス板の上端又は左端若しくは右端よりも上記枠体の内周側に接近するように所定の長さ延出されてなるとともに、上記特定のガラス板の延出された部位は、上記枠体の一部と該枠体内に配置された挟持部材により挟持されてなることを特徴とするものである。
【０００７】
この第１の発明に係る防火用建具では、複層ガラスが配置された防火用建具であり、この複層ガラスは、最も屋外側又は最も屋内側に配置された網ガラス又は耐熱強化ガラス板とされた特定のガラス板と、この特定のガラス板に対向して配置された他のガラス板とを備えたものである。そして、上記特定のガラス板は、上記枠体の内側に配置されてなるとともに、最も屋外側又は最も屋内側の何れか一方に配置されている。また、上記他のガラス板は、上記特定のガラス板に面対向してなるものであり、それは１枚であっても良いし、互いに対向する２枚のガラス板であっても良い。したがって、この発明では、上記特定のガラス板が最も屋外側に配置されている場合には、屋外側から屋内側にかけて、該特定のガラス板、他のガラス板（他のガラス板が２枚の場合には、さらに他のガラス板）の順序でそれぞれ配置されたものであり、反対に、上記特定のガラス板が最も屋内側に配置されている場合には、屋内側から屋外側にかけて、該特定のガラス板、他のガラス板（他のガラス板が２枚の場合には、さらに他のガラス板）の順序でそれぞれ配置されたものである。
【０００８】
そして、この発明では、上記特定のガラス板の少なくとも上端又は左端若しくは右端の何れかは、上記他のガラス板の少なくとも上端又は左端若しくは右端よりも上記枠体の内周側に接近するように所定の長さ延出されている。換言すれば、上記特定のガラス板の上端又は左端若しくは右端は、上記他のガラス板の上端又は左端若しくは右端と同じ位置とされているものではなく、窓枠に近い位置まで延出・延在されている。そして、さらにこの特定のガラス板の延出された部位は、上記枠体の一部と該枠体内に配置された挟持部材により挟持されている。なお、上記挟持部材は、少なくとも、窓枠の一部と共同して特定のガラス板を挟持してなる機能を有する部材であれば、その形状は特に限定されるものではない。また、上記延出された部位は、上記特定のガラス板の上端、左端、右端の三つの端縁の全てが、上記他のガラス板の端縁よりも、枠体に接近するように延出されているものであっても良い。
【０００９】
したがって、例えば、屋内側に上記特定のガラス板が配置され上記他のガラス板が屋外側に配置されている場合においては、屋外側から上記他のガラス板に火炎が放射されると、上記他のガラス板は割れて落下する。この他のガラス板がスペーサを介して２枚配置されている場合には、最も屋外側に配置された１枚目の他のガラス板が割れ、次いで、２枚目の他のガラス板やスペーサが割れて落下する。このように、他のガラス板が割れて落下した場合であっても、上記特定のガラス板の延出された部位は、上記枠体の一部と挟持部材とにより挟持されていることから、該特定のガラス板は、従来の防火用建具のように、上記他のガラス板が配置されていたスペース内に移動したり位置ずれを生じたりすることがなく、それまでの配置位置又は配置状態を維持することができる。したがって、この発明に係る防火用建具によれば、他のガラス板が割れて落下した場合であっても、上記特定のガラス板は移動して火炎が通過する隙間が発生せず、有効に火炎の通過を防止することができる。
【００１０】
また、第２の発明（請求項２記載の発明）は、上記第１の発明において、前記挟持部材と前記特定のガラス板の延出された部位との間又は前記枠体と該特定のガラス板の延出された部位と間の少なくとも何れかには、加熱されることにより膨張する加熱膨張材が配置されてなることを特徴とするものである。
【００１１】
この第２の発明に係る防火用建具では、前記挟持部材と前記特定のガラス板の延出された部位との間又は前記枠体と該特定のガラス板の延出された部位と間の少なくとも何れかには、加熱されることにより膨張する加熱膨張材が配置されてなることから、火炎の温度により、この加熱膨張材が加熱され膨張されると、前記挟持部材と前記特定のガラス板の延出された部位との間又は前記枠体と該特定のガラス板の延出された部位と間を埋めることにより、上記特定のガラス板はより一層上記枠体の一部と挟持部材との間に位置し続ける。したがって、この第２の発明に係る防火用建具によれば、上記他のガラス板が割れて落下した場合であっても、上記特定のガラス板は移動して火炎が通過する隙間が発生せず、一層特定のガラス板の端部から火炎の通過を防止することができ、防火機能を向上させることが可能となる。
【００１２】
また、第３の発明（請求項３記載の発明）は、上記第１又は第２の発明の何れかにおいて、前記挟持部材には一方の係合部材が固定され、前記枠体の内側であって該挟持部材が配置された位置の近傍には係合凸部が固定されてなり、上記一方の係合部材と係合凸部とは、該挟持部材を前記枠体内に配置した後に装着される他方の係合部材にそれぞれ係合されてなるとともに、該他方の係合部材には、該挟持部材が前記特定のガラス板と離間する方向に移動することを規制する移動規制片を有してなることを特徴とするものである。
【００１３】
この第３の発明に係る防火用建具では、前記挟持部材には一方の係合部材が固定され、前記枠体の内側であって該挟持部材が配置された位置の近傍には係合凸部が固定されてなるとともに、上記一方の係合部材と係合凸部とは、該挟持部材を前記枠体内に配置した後に装着される他方の係合部材にそれぞれ係合されてなる。換言すれば、枠体に固定された係合凸部は、上記他方の係合部材により互いに係合し、該他方の係合部材は、一方の係合部材と係合されている。この一方の係合部材は、上記挟持部材に固定されている。すなわち、この第２の発明では、上記特定のガラス板を枠体の一部と挟持してなる上記挟持部材は、上記係合凸部、一方及び他方の係合部材を介して、枠体に係合している。そしてさらに、この第３の発明では、上記他方の係合部材には、上記挟持部材が前記特定のガラス板と離間する方向に移動することを規制する移動規制片を有している。
【００１４】
したがって、先に説明したように、火炎の放射により上記特定のガラス板以外の他のガラス板やスペーサが脱落した場合であっても、上記挟持部材は、上記移動規制片により、特定のガラス板から離間する方向に移動することが規制・阻止される。特に、上記挟持部材と特定のガラス板の延出された部位との間又は前記枠体と該特定のガラス板の延出された部位と間に、第２の発明を構成する加熱膨張材が配置された防火用建具によれば、火炎の熱により膨張した場合であっても、該挟持部材の配置位置は変わることがなく、さらに一層強固に挟持されることとなり、より一層防火機能を向上させることができる。
【００１５】
また、第４の発明（請求項４記載の発明）は、上記第３の発明において、前記枠体は樹脂を素材としてなるとともに、該枠体には金属板が固定されてなる一方、前記挟持部材、前記一方の係合部材、前記係合凸部及び前記他方の係合部材は、何れも金属を素材としてなり、上記係合凸部は、上記金属板と直接連結され又は間に金属製の部材を介して互いに連結されてなることを特徴とするものである。
【００１６】
この第４の発明に係る防火用建具では、上記枠体は樹脂を素材としてなる（樹脂により成形されてなる）ものであり、金属板が固定されている。一方、先に説明した挟持部材、前記一方の係合部材、前記係合凸部及び前記他方の係合部材は、何れも金属を素材としてなり、上記係合凸部は、上記金属板と直接連結され又は間に金属製の部材を介して互いに連結されている。したがって、火炎の放射により、上記樹脂製の枠体が加熱されて一部が溶融又は変形した場合であっても、上記一方の係合部材、前記係合凸部及び前記他方の係合部材は、直接的又は間接的に上記金属板に連結されていることから、上記挟持部材が位置ずれを起こしたり脱落したりする事態は確実に防止され、この結果、上記特定のガラス板は、極めて安定的に当初の位置を保持することができる。なお、上記金属の種類は、少なくとも枠体の素材である樹脂の融点よりも相対的に高い融点とされたものであれば、鉄、ステンレススチール、アルミニウムその他の金属を使用することができる。
【発明の効果】
【００１７】
上記第１の発明（請求項１記載の発明）に係る防火用建具では、他のガラス板が割れて落下した場合であっても、上記特定のガラス板の延出された部位は、上記枠体の一部と挟持部材とにより挟持されていることから、該特定のガラス板は、従来の防火用建具のように、上記他のガラス板が配置されていたスペース内に移動したり位置ずれを生じたりすることがなく、それまでの配置位置又は配置状態を維持することができる。したがって、この発明に係る防火用建具によれば、他のガラス板が割れて落下した場合であっても、上記特定のガラス板は移動して火炎が通過する隙間が発生せず、有効に火炎の通過を防止することができる。
【００１８】
また、第２の発明（請求項２記載の発明）係る防火用建具では、加熱されることにより膨張する加熱膨張材が配置されてなることから、火炎の温度により、この加熱膨張材が加熱され膨張されると、前記挟持部材と前記特定のガラス板の延出された部位との間又は前記枠体と該特定のガラス板の延出された部位と間を埋めることにより、上記特定のガラス板はより一層上記枠体の一部と挟持部材との間に位置し続ける。したがって、この第２の発明に係る防火用建具によれば、上記他のガラス板が割れて落下した場合であっても、上記特定のガラス板は移動して火炎が通過する隙間が発生せず、一層特定のガラス板の端部から火炎の通過を防止することができ、防火機能を向上させることが可能となる。
【００１９】
また、第３の発明（請求項３記載の発明）に係る防火用建具によれば、火炎の放射により上記特定のガラス板以外の他のガラス板やスペーサが脱落した場合であっても、上記挟持部材は、上記移動規制片により、特定のガラス板から離間する方向に移動することが規制・阻止され、より一層防火機能を向上させることができる。
【００２０】
また、第４の発明（請求項４記載の発明）に係る防火用建具によれば、火炎の放射により、上記樹脂製の枠体が加熱されて一部が溶融又は変形した場合であっても、上記一方の係合部材、前記係合凸部及び前記他方の係合部材は、直接的又は間接的に上記金属板に連結されていることから、上記挟持部材が位置ずれを起こしたり脱落したりする事態は確実に防止され、この結果、上記特定のガラス板は、極めて安定的に当初の位置を保持することができる。
【図面の簡単な説明】
【００２１】
【図１】本発明の実施の形態に係る防火用建具を示す側断面図である。
【図２】本発明の実施の形態に係る防火用建具を示す平断面図である。
【図３】図１に示す上部枠体を拡大して示す側断面図である。
【図４】図１に示す下部枠体を拡大して示す側断面図である。
【図５】図２に示す左側枠体を拡大して示す平断面図である。
【図６】図２に示す右側枠体を拡大して示す平断面図である。
【図７】挟持部材の配置状態を示す分解斜視図である。
【図８】図３に示す状態から火炎によりフロートガラスが落下した後の状態を模式的に示す側断面図である。
【発明を実施するための形態】
【００２２】
以下、本発明を実施するための最良の形態に係る防火用建具について図面を参照しながら詳細に説明する。なお、この実施の形態に係る防火用建具１は、本発明を引き違い窓に適用したものである。
【００２３】
この実施の形態に係る防火用建具１は、図１に示す上側外枠２と及び下側外枠３と、図２に示す左側外枠４及び右側外枠５と、これらの上側外枠２、下側外枠３、左側外枠４及び右側外枠５の内側であって屋外側に配置された屋外側窓６と、上記各外枠２・・・５の内側であって屋内側に配置された屋内側窓７と、を備えている。
【００２４】
上記上側外枠２、下側外枠３、左側外枠４及び右側外枠５は、本実施の形態に係る防火用建具１においては、それぞれ樹脂を素材としてなるものであるとともに、それぞれの端部が互いに接合されることにより、全体としては鉛直方向に長さを有する長方形状の外枠として、図示しない建物の躯体に形成された開口に固定されるものである。そして、上記上側外枠２には、上部に上記図示しない躯体にそれぞれネジ１１により固定され断面Ｌ字状に成形された上側固定板部２ａ（図１参照）が形成され、また、該上側外枠２の下方であって該上側外枠２の中央よりもやや屋外側には、上部外側レール２ｂが下方に突出した状態で形成され、やや屋内側には上部内側レール２ｃが下方に突出した状態で形成されている。上記上部外側レール２ｂと上部内側レール２ｃは、互いに平行となされ、該上部外側レール２ｂは、上記屋外側窓枠６の上端側を水平方向にガイドするものであり、該上部内側レール２ｃは、上記屋内側窓枠７の上端側を水平方向にガイドするものである。なお、上記上側外枠２の内部には、複数の空洞（符号は省略する。）が形成され、これらの空洞の一部の内部には、金属製の補強部材（符号は省略する。）がそれぞれネジ（符号は省略する。）により固定されている。
【００２５】
一方、上記下側外枠３には、下部に上記図示しない躯体にネジ１３により固定され上記上側固定板部２ａとは対称形状に成形された下側固定板部３ａが形成され、また、該下側外枠３の上部であって中央よりもやや屋外側には、下部外側レール３ｂが上方に突出した状態で形成され、やや屋内側には下部内側レール３ｃが上方に突出した状態で形成されている。上記下部外側レール３ｂと下部内側レール３ｃは、互いに平行となされ、該下部外側レール３ｂは、上記屋外側窓６の下端側を水平方向にガイドするものであり、該下部内側レール３ｃは、上記屋内側窓７の下端側を水平方向にガイドするものである。なお、上記下側外枠３の内部には、複数の空洞（符号は省略する。）が形成され、これらの空洞の一部には、金属製の補強部材（符号は省略する。）がネジ（符号は省略する。）により固定されている。
【００２６】
また、図２に示すように、上記左側外枠４は、外側に上記図示しない躯体にそれぞれネジ１４により固定され矩形状に成形された左側固定板部４ａが形成され、また、該左側外枠４の内側であって中央よりもやや屋外側には、左側凸条４ｂが右側に突出した状態で形成されている。なお、上記左側外枠４の内部には、複数の空洞（符号は省略する。）が形成され、これらの空洞の一部の内部には、金属製の補強部材（符号は省略する。）がネジ（符号は省略する。）により固定されている。また、上記右側外枠５は、外側に上記図示しない躯体にネジ１５により固定され上記左側固定板部４ａと対称形状に成形された右側固定板部５ａが形成され、また、該右側外枠５の内側であって中央よりもやや屋内側には、右側凸条５ｂが左側に突出した状態で形成されている。なお、上記右側外枠５の内部には、複数の空洞（符号は省略する。）が形成され、これらの空洞の一部の内部には、金属製の補強部材（符号は省略する。）がネジ（符号は省略する。）により固定されている。
【００２７】
また、上記屋外側窓６は、図１に示す上側枠体１８と下側枠体１９と、図２に示す左側枠体２０と右側枠体２１と、これら上側枠体１８、下側枠体１９、左側枠体２０及び右側枠体２１とからなる枠体（符号は省略する。）の内側であって屋外側に配置された外側フロートガラス板２３と、屋内側に配置され該外側フロートガラス板２３に面対向してなる外側耐熱強化ガラス板２４とを備えている。なお、上記外側耐熱強化ガラス板２４は、本発明を構成する特定のガラス板であり、また、上記外側フロートガラス２３は、本発明を構成する他のガラス板である。また、上記外側フロートガラス板２３と外側耐熱強化ガラス板２４との各端部側の間には、それぞれスペーサ２５が配置されている。また、この屋外側窓６を構成する上記下側枠体１９には、図１に示すように、上記下部外側レール３ｂにガイドされ該下部外側レール３ｂ上を転動する外側戸車２６が回動自在に配置されている。また、この屋外側窓６を構成する上記左側枠体２０の左側には、図２に示すように、上記左側凸条４ｂが挿入される左側凹条２０ａが形成されている。
【００２８】
また、上記屋内側窓７は、図１に示す上側枠体２８と下側枠体２９と、図２に示す左側枠体３０と右側枠体３１と、これら上側枠体２８、下側枠体２９、左側枠体３０及び右側枠体３１とからなる枠体（符号は省略する。）の内側であって屋外側に配置された内側フロートガラス板３３と、屋内側に配置され該内側フロートガラス板３３に面対向してなる内側耐熱強化ガラス板３４とを備えている。なお、上記内側耐熱強化ガラス板３４は、本発明を構成する特定のガラス板である。また、上記内側フロートガラス３３は、本発明を構成する他のガラス板である。また、上記内側フロートガラス板３３と内側耐熱強化ガラス板３４との各端部側の間には、それぞれスペーサ３５が配置されている。また、この屋内側窓７を構成する上記下側枠体２９には、図１に示すように、上記下部内側レール３ｃにガイドされ該下部内側レール３ｃ上を転動する内側戸車３７が回動自在に配置されている。また、この屋内側窓７を構成する上記右側枠体３１の右側には、図２に示すように、上記右側凸条５ｂが挿入される右側凹条３１ｄが形成されている。
【００２９】
なお、上記屋外側窓６と屋内側窓７は、それぞれ図１に示すように、上記下側外枠３にその荷重が支持されてなるとともに、それぞれ上記外側戸車２６又は内側戸車３７の転動により、図２中左右方向に移動操作されるものである一方、該屋外側窓６の左側の構造と屋内側窓７の左側の構造、並びに、該屋外側窓６の右側の構造と屋内側窓７の右側の構造とはそれぞれ互いに異なるが、本発明を構成する上記外側耐熱強化ガラス板の支持構造や、こうした支持構造に加えて耐火性を向上させるための基本的構造は同様であるこことから、以下では、上記屋内側窓７の構成について詳細に説明する。
【００３０】
この屋内側窓７は、先に説明したように、図１に示す上側枠体２８と下側枠体２９と、図２に示す左側枠体３０と右側枠体３１と、を備えており、上記上側枠体２８は、図３に示すように、上記屋外側に位置する屋外側板部２８ａと、屋内側に位置する屋内側板部２８ｂと、これら屋外側板部２８ａと屋内側板部２８ｂに連続してなる天板部２８ｃとを備えている。なお、上記屋内側板部２８ｂの下端は、上記屋外側板部２８ａの下端や後述する底板部２８ｆの形成位置よりも下方に位置している。そして、上記天板部２８ｃの中央には、前記上部内側レール２ｃの下端側が挿入される上側凹条２８ｄが成形されている。また、この上側枠体２８内には、左端が上記屋外側板部２８ａに連続し右端は上記内側板部２８ｂに連続してなる仕切り板部２８ｅが形成され、最も下方には、底板部２８ｆが形成されている。なお、上記上側凹条２８ｄは、上記仕切り板部２８ｅと、上記天板部２８ｃの屋外側中途部から垂下してなる一方の垂下板部２８ｇと、上記天板部２８ｃの屋内側中途部から垂下してなる他方の垂下板部２８ｈと、により囲まれた部位であり、上記一方の垂下板部２８ｇの上端側と他方の垂下板部２８ｈの上端側には、それぞれ先端が上記上部内側レール２ｃの側面に摺接するモヘヤ４０の基端が固定されている。また、上記底板部２８ｆには、後述する第２の固定ネジ５０の軸部５０ｂが挿通される挿通穴２８ｉ（図７参照）が形成されている。また、上記上側凹条２８ｄ内には、下面が上記仕切り板部２８ｅに第１の固定ネジ４３により固定され断面形状が凹状に成形された第１の上部金属製補強材４５が配置されている。
【００３１】
また、上記仕切り板部２８ｅの中央には挿通穴（符号は省略する。）が形成され、また、該仕切り板部２８ｅの下方には、該仕切り板部２８ｅと上記屋外側板部２８ａと屋内側板部２８ｂと底板部２８ｆにより囲まれた第３の中空部２８ｍが形成されている。そして、この第３の中空部２８ｍ内には、第２の上部金属製補強材４６が上記第１の固定ネジ４３により固定されている。この第２の上部金属製補強材４６は、上記仕切り板部２８ｅに対向してなる上部補強板部４６ａと、この上部補強板部４６ａの端部から下方に折曲されてなり上記屋外側板部２８ａに対向してなる正面補強板部４６ｂと、この正面補強板部４６ｂの下端から折曲され上記底板部２８ｆに対向してなる下部補強板部４６ｃと、この下部補強板部４６ｃの後端から起立し上記屋内側板部２８ｂに対向してなる屋内側補強板部４６ｄとから構成されている。なお、上記上部補強板部４６ａには、上記第１の固定ネジ４３が螺着されるネジ穴（符号は省略する。）が形成され、また、上記下部補強板部４６ｃには、後述する第２の固定ネジ５０の軸部５０ｂが螺着されるネジ穴（符号は省略する。）が形成されている。
【００３２】
また、この上側枠体２８を構成する上記底板部２８ｆの下面から上記屋内側板部２８ｂの内側面には、第３の上部金属製補強材４８が固定されている。この第３の上部金属製補強材４８は、上記底板部２８ｆの下面に固定された固定板部４８ａと、この固定板部４８ａの端部から折曲され上記屋内側板部２８ｂに当接してなる背面板部４８ｂとから構成され、該固定板部４８ａには、後述する第２の固定ネジ５０の軸部５０ｂが挿通される挿通穴４８ｃ（図７参照）が形成されている。そして、上記第３の上部金属製補強材４８は、第２の固定ネジ５０により上記第２の上部金属製補強材４６を構成する下部補強板部４６ｃに螺着されている。この第２の固定ネジ５０は皿ネジであり、図７に示すように、円錐台状に成形された頭部５０ａと、外周にネジ（符号は省略する。）が螺刻された軸部５０ｂとから構成されている。また、この第２の固定ネジ５０は、上記第３の上部金属製補強材４８を上側枠体２８に固定しているばかりではなく、金属製の凸状部材５１を上記底板部２８ｆの下面に固定している。この凸状部材５１は、中心に上記第２の固定ネジ５０の軸部５０ｂが挿通されるとともに、該第２の固定ネジ５０の頭部５０ａが収容される収容部（符号は省略する。）が形成されてなるものである。なお、この凸状部材５１は、本発明を構成する係合凸部である。
【００３３】
そして、上記上側枠体２８を構成する底板部２８ｆの下方であって上記屋内側板部２８ｂよりも屋外側には、図３又は図７に示すように、金属製の上部挟持部材５５が配置されている。なお、この上部挟持部材５５は、本発明を構成する挟持部材である。そして、この上部挟持部材５５は、上記底板部２８ｆの下面に対向してなる上板部５５ａと、この上板部５５ａの屋外側端（図３中、左端）から下方に折曲されてなる正面板部５５ｂと、この正面板部５５ｂの下端から屋内側に折曲され上記上板部５５ａの下面に対向してなる下板部５５ｃと、上記上板部５５ａの背面端（図３中、右端）から下方に折曲され上記屋内側板部２８ｂに対向してなる背面板部５５ｄと、から構成されている。なお、上記下板部５５ｃの下面と上記背面板部５５ｄの背面には、それぞれ加熱膨張材４４が接着されている。
【００３４】
また、上記上部挟持部材５５を構成する上板部５５ａには、図７に示すように、一方の係合部材５６が固定されている。この一方の係合部材５６は、金属を素材としてなるものであり、上記上部挟持部材５５の長さ方向と同じ方向に長さを有する一方の係止板部５６ａと、この一方の係止板部５６ａの一端から下方に折曲されてなる一方の折曲板部５６ｂと、この一方の折曲板部５６ｂの下端から折曲され上記上板部５５ａの上面に溶接されてなる一方の溶接板部５６ｃと、上記一方の係止板部５６ａの他端から下方に折曲されてなる他方の折曲板部５６ｄと、この他方の折曲板部５６ｄの下端から折曲され上記上板部５５ａの上面に溶接されてなる他方の溶接板部５６ｅとから構成されている。そして、上記上部挟持部材５５に固定された一方の係合部材５６は、該一方の係合部材５６を構成する一方の上記一方の係止板部５６ａと上記上部挟持部材５５を構成する上板部５５ａとの間に、この屋内側窓７の屋外側から挿入される他方の係合板部５８ｂを備えた金属製の他方の係合部材５８により係合され吊り下げられている。この他方の係合部材５８は、図示しない作業者の手指により把持され上記上部挟持部材５５の正面板部５５ｂに当接する当接板部５８ａと、この当接板部５８ａの上端から直角に折曲され、上記一方の係合板部５６ａと上記上板部５５ａとの間に挿入される他方の係合板部５８ｂからなるものである。そしてさらに、この他方の係合板部５８ｂには、上記凸状部材５１に係合する長孔５８ｃと、この長孔５８ｃの中央に連通してなる切欠き穴５８ｄとが形成されている。したがって、上記他方の係合部材５８は、上記他方の係合板部５８ｂに形成された上記長孔５８ｃと上記凸状部材５１との係合により、上記上部挟持部材５５の下方に支持されるとともに、該他方の係合板部５８ｂと一方の係止板部５６ａとの係合により、上記上部挟持部材５５を上記底板部２８ｆの下方に吊り下げている。すなわち、この実施の形態に係る防火用建具１では、上記上側凹条２８ｄ内に固定された第１の上部金属製補強材４５と上記第２の上部金属製補強材４６とは、上記第１の固定ネジ４３を介して連結され、該第２の上部金属製補強材４６は、上記第２の固定ネジ５０及び上記凸状部材５１を介して、上記第３の上部金属製補強材４８に固定・連結されてなるとともに、上記他方の係合部材５８を介して、上記上部挟持部材５５に連結されている。
【００３５】
そして、上記上部挟持部材５５の下方には、図３に示すように、先に説明した内側フロートガラス板３３が配置され、該内側フロートガラス板３３の上端は、該上部挟持部材５５を構成する下板部５５ｃの下面に近接している。また、この内側フロートガラス板３３の屋内側には先に説明した内側耐熱強化ガラス板３４が配置されている。この内側耐熱強化ガラス板３４の上端側は、上記内側フロートガラス板３３の上端よりも上方に延出されているとともに、該延出された部位は、上記上部挟持部材５５と上記上側枠体２８を構成する屋内側板部２８ｂとにより挟持されている。なお、上記内側フロートガラス板３３の上端側と内側耐熱性強化ガラス板３４との間には、スペーサ３５が配置されている。また、上記上側枠体２８を構成する上記屋外側板部２８ａの下端には、圧入溝２８ｎが形成され、この圧入溝２８ｎには、上部押縁６４の基端が圧入されている。
【００３６】
次に、上記屋内側窓７を構成する上記下側枠体２９の構成について簡単に説明する。この下側枠体２９は、図４に示すように、上記上側枠体２８を構成する上記屋外側板部２８ａと同じ長さに成形された屋外側板部２９ａと、該上側枠体２８を構成する上記屋内側板部２８ｂと同じ長さに成形された屋内側板部２９ｂと、これら屋外側板部２９ａと屋内側板部２９ｂに連続してなる底板部２９ｃとを備えている。そして、この底板部２９ｃの中央には、前記下部内側レール３ｃに支持されガイドされるとともに該下部内側レール３ｃを転動する内側戸車３７が回動自在に配置されている。また、上記底板部２９ｃの上方には、天板部２９ｄが形成され、この天板部２９ｄの上面には、ガラス板支持部材７２が固定されている。そして、このガラス板支持部材７２には、上記内側フロートガラス板３３の下端と上記内側耐熱強化ガラス板３４の下端が支持されている。なお、上記内側フロートガラス板３３の下端側と上記内側耐熱強化ガラス板３４の下端側との間には、上記スペーサ３５が配置されている。また、上記屋外側板部２８ａの上端には、圧入溝２９ｎが形成され、この圧入溝２９ｎには、下部押縁７４の基端が圧入されている。
【００３７】
次に、上記屋内側窓７を構成する上記左側枠体３０の構成について、図５を参照しながら詳細に説明する。この左側枠体３０は、屋外側に形成された屋外側板部３０ａと、屋内側に形成された屋内側板部３０ｂと、これら屋外側板部３０ａと屋内側板部３０ｂに連続してなる左側板部３０ｃとを備えている。そして、この左側板部３０ｃの中央には、前記左側凹条３０ｄが形成されている。また、この左側枠体３０内には、前端が上記屋外側板部３０ａに連続し後端は上記屋内側板部３０ｂに連続してなる仕切り板部３０ｅが形成され、最も右側には、内側板部３０ｆが形成されている。なお、上記左側凹条３０ｄは、上記仕切り板部３０ｅと、上記左側板部３０ｃの中途部から仕切り板部３０ｅ側に起立してなる一方の起立板部３０ｇと、上記左側板部３０ｃの中途部から仕切り板部３０ｅ側に起立してなる他方の起立板部３０ｈにより囲まれた部位である。また、上記左側凹条３０ｄ内には、上記仕切り板部３０ｅに第１の固定ネジ８０により固定され断面形状が凹状に成形された第１の左側金属製補強材８１が配置されている。なお、上記左側凹条３０ｄの屋外側には、第１の左中空部３０ｊが形成され、屋内側には第２の左中空部３０ｋが形成されている。
【００３８】
また、上記仕切り板部３０ｅには挿通穴（符号は省略する。）が形成され、また、該仕切り板部３０ｅの右側には、該仕切り板部３０ｅと上記屋外側板部３０ａと屋内側板部３０ｂと内側板部３０ｆにより囲まれた第３の左中空部３０ｍが形成されている。そして、この第３の左中空部３０ｍ内には、第２の左側金属製補強材８２が上記第１の固定ネジ８０により固定されている。この第２の左側金属製補強材８２は、上記仕切り板部３０ｅに対向してなる左側補強板部８２ａと、この左側補強板部８２ａの端部から右側に折曲されてなり上記屋外側板部３０ａに対向してなる屋外側補強板部８２ｂと、この屋外側補強板部８２ｂの端部から折曲され上記内側板部３０ｆに対向してなる右側補強板部８２ｃと、この右側補強板部８２ｃの端部から折曲され上記屋内側板部３０ｂに対向してなる屋外側板部８２ｄとから構成されている。なお、上記左側補強板部８２ａには、上記第１の固定ネジ８０が螺着されるネジ穴（符号は省略する。）が形成されている。また、上記右側補強板部８２ｃには、後述する第２の固定ネジ８４の軸部８４ｂが螺着されるネジ穴（符号は省略する。）が形成されている。
【００３９】
また、この左側枠体３０を構成する上記内側板部３０ｆの右側面から上記屋内側板部３０ｂの内側面には、第３の左側金属製補強材８３が固定されている。この第３の左側金属製補強材８３は、上記内側板部３０ｆの右側面に固定された固定板部８３ａと、この固定板部８３ａの端部から折曲され上記屋内側板部３０ｂに当接してなる背面板部８３ｂとから構成され、該固定板部８３ａには、後述する第２の固定ネジ８４の軸部８４ｂが挿通される図示しない挿通穴が形成されている。そして、上記第３の左側金属製補強材８３は、第２の固定ネジ８４により上記第２の左側金属製補強材８２を構成する右側補強板部８２ｃに螺着されている。この第２の固定ネジ８４は皿ネジであり、円錐台状に成形された頭部８４ａと、外周にネジ（符号は省略する。）が螺刻された軸部８４ｂとから構成されている。また、この第２の固定ネジ８４は、上記第３の左側金属製補強材８３を左側枠体３０に固定しているばかりではなく、金属製の凸状部材８５を上記内側板部３０ｆの右側面に固定している。この凸状部材８５は、上記凸状部材５１と同じ形状に成形されたものであり、上記第２の固定ネジ８４の軸部８４ｂが挿通されている。なお、この凸状部材８５は、本発明を構成する係合凸部である。
【００４０】
そして、上記左側枠体３０を構成する上記内側板部３０ｆの右側には、図５に示すように、金属製の左側挟持部材８８が配置されている。なお、この左側挟持部材８８は、本発明を構成する挟持部材である。そして、この左側挟持部材８８は、上記上部挟持部材５５と同じ構成からなるものであり、上記内側板部３０ｆに対向してなる左板部８８ａと、この左板部８８ａの一端（図５中、上端）から右側に折曲されてなる屋内側板部８８ｂと、この屋内側板部８８ｂの下端から屋内側に折曲され上記左板部８８ａに対向してなる右板部８８ｃと、上記左板部８８ａの他端（図５中、下端）から右側に折曲され上記屋内側板部３０ｂに対向してなる屋内側板部８８ｄと、から構成されている。なお、上記右板部８８ｃの右側面と上記屋内側板部８８ｄの背面には、それぞれ加熱膨張材４４が接着されている。
【００４１】
また、上記左側挟持部材８８を構成する左板部８８ａには、前記上部枠体２８に配置された一方の係合部材５６と同じ形状に成形された一方の係合部材８９が固定され、この一方の係合部材８９は、該上部枠体２８に配置された他方の係合部材５８と同一の形状に成形された他方の係合部材９１により連結されてなるとともに、該他方の係合部材９１は、上記凸状部材８５に係合されている。すなわち、この実施の形態に係る防火用建具１では、上記左側凹条３０ｄ内に固定された第１の左側金属製補強材８１と上記第２の左側部金属製補強材８２とは、上記第１の固定ネジ８０を介して連結され、該第２の左金属製補強材８２は、上記第２の固定ネジ８４及び上記凸状部材８５を介して、上記第３の左側金属製補強材８３に固定・連結されてなるとともに、上記他方の係合部材９１を介して、上記左側挟持部材８８に連結されている。
【００４２】
そして、上記左側挟持部材８８の右側には、先に説明した内側フロートガラス板３３が配置され、該内側フロートガラス板３３の左端は、該左側挟持部材８８を構成する右板部８８ｃの右側面に近接している。また、この内側フロートガラス板３３の屋内側には、先に説明した内側耐熱強化ガラス板３４が配置されている。この内側耐熱強化ガラス板３４の左端は、上記内側フロートガラス板３３の左端よりもさらに左側に延出されているとともに、該延出された部位は、上記左側挟持部材８８と上記左側枠体３０を構成する屋内側板部３０ｂとにより挟持されている。なお、上記内側フロートガラス板３３の左端側と内側耐熱性強化ガラス板３４との間には、スペーサ３５が配置されている。また、上記左側枠体３０を構成する上記屋外側板部３０ａの先端（左端）には、圧入溝３０ｎが形成され、この圧入溝３０ｎには、左側押縁９３の基端が圧入されている。
【００４３】
次に、上記屋内側窓７を構成する右側枠体３１の構成について、図６を参照しながら簡単に説明する。この右側枠体３１は、屋外側に形成された屋外側板部３１ａと、屋内側に形成された屋内側板部３１ｂと、これら屋外側板部３１ａと屋内側板部３１ｂに連続してなる右側板部３１ｃとを備えている。そして、この右側板部３１ｃの中央には、先に説明したように、上記右側凸条５ｂが挿入される右側凹条３１ｄが形成されている。なお、この右側枠体３１の構成は、上記右側凸条５ｂが挿入される右側凹条３１ｄの構成を除き、上記左側枠体３０と略対称形状に成形されたものである。すなわち、この右側枠体３１には、上記第１の左側金属製補強材８１と対称形状に成形された第１の右側金属製補強部材１０１、上記第２の左側部金属製補強材８２と略対称形状に成形された第２の左金属製補強材１０２、上記第１の固定ネジ８０と対称形状に成形され該第２の左側金属製補強材８２と第２の左金属製補強材１０２とを連結する第１の固定ネジ１０３、上記第３の左側金属製補強材８３と対称形状に成形された第３の右側金属製補強材１０４、上記左側挟持部材８８と対称形状に成形された右側挟持部材１０５、上記第２の固定ネジ８４と対称形状と形状に成形され上記第３の右側金属製補強材１０４と上記右側挟持部材１０５とを連結する第２の固定ネジ１０６、上記凸状部材８５と対称形状となるように配置された凸条部材１０７、上記他方の係合部材９１と対称形状に成形された他方の係合部材１０８、をそれぞれ備えている。
【００４４】
そして、上記右側挟持部材１０５の左側には、先に説明した内側フロートガラス板３３の右端が位置しており、該内側フロートガラス板３３の屋内側には、該内側フロートガラス板３３に対向してなる先に説明した内側耐熱強化ガラス板３４が配置されている。この内側耐熱強化ガラス板３４の右端は、上記内側フロートガラス板３３の右端よりもさらに右側に延出されているとともに、該延出された部位は、上記右側挟持部材１０５と上記右側枠体３１を構成する屋内側板部３１ｂとにより挟持されている。なお、上記内側フロートガラス板３３の右端側と内側耐熱性強化ガラス板３４との間には、スペーサ３５が配置されている。また、上記右側枠体３１を構成する上記屋外側板部３１ａの先端（左端）には、圧入溝３１ｎが形成され、この圧入溝３１ｎには、右側押縁１１０の基端が圧入されている。
【００４５】
なお、先に説明した屋外側窓６を構成する右側枠体２１と、上記屋内側窓７を構成する左側枠体３０には、図２に示すように、該屋外側窓６と屋内側窓７とを閉塞した際に互いの気密性を保持する部材や、互いをロックする部材が配置されているが、これらの構成の説明は割愛する。
【００４６】
上述した屋内側窓７の説明からも明らかなように、この実施の形態に係る防火用建具１では、上記内側耐熱強化ガラス板３４の上端側、左端側及び右端側は、上記内側フロートガラス板３３の上端、左端及び右端よりも上部枠体２８、左側枠体３０又は右側枠体３１側に延出されているとともに、これら延出された部位であって、その上端側は、上記上部挟持部材５５と上記上側枠体２８を構成する屋内側板部２８ｂとにより、その左端側は、上記左側挟持部材８８と上記左側枠体３０を構成する屋内側板部３０ｂとにより、また、その右端側は、上記右側挟持部材１０５と上記右側枠体３１を構成する屋内側板部３１ｂとにより、それぞれ挟持されている。したがって、屋外側からの火炎の放射により、本発明を構成する他のガラス板である内側フロートガラス３３が割れ上記スペーサ３５と共に落下した場合であっても、図８に示すように、本発明を構成する特定のガラス板である上記内側耐熱強化ガラス板３４（を構成する上記耐熱強化合せガラス）は、従来の防火用建具のように、上記内側フロートガラス３３が配置されていたスペース内に移動したり位置ずれを生じたりすることがなく、それまでの配置位置又は配置状態を維持することができる。したがって、この防火用建具１によれば、上記内側フロートガラス３３が割れて落下した場合であっても、上記内側耐熱強化ガラス板３４は移動して火炎が通過する隙間が発生せず、有効に火炎の通過を防止することができる。さらに、上記内側耐熱強化ガラス板３４の延出された部位と上記上部挟持部材５５との間、該部位と上側枠体２８を構成する屋内側板部２８ｂとの間、該部位と上記左側挟持部材８８との間、該部位と上記左側枠体３０を構成する屋内側板部３０ｂとの間、該部位と上記右側挟持部材１０５との間、該部位と上記右側枠体３１を構成する屋内側板部３１ｂとの間には、それぞれ加熱膨張材４４が配置されていることから、上記火炎の温度により、これらの加熱膨張材４４が加熱され膨張されると、上記各挟持部材（符号は省略する。）と各枠体（符号は省略する。）の一部である上記各屋内側板部（符号は省略する。）との間を埋めることにより、上記内側耐熱強化ガラス板３４はより一層上記各挟持部材と各枠体の一部である上記各屋内側板部との間に位置し続ける。したがって、この実施の形態に係る防火用建具１によれば、一層内側耐熱強化ガラス板３４の端部から火炎が屋内側に通過することを防止することができ、防火機能をさらに向上させることが可能となる。
【００４７】
さらにまた、この実施の形態に係る防火用建具１では、上記内側耐熱強化ガラス板３４を挟持する上記上部挟持部材５５、左側挟持部材８８、右側挟持部材１０５は、上部枠体２８、左側枠体３０、右側枠体３１にそれぞれ配置・固定された金属製補強材（符号は省略する。）と一方及び他方の係合部材（符号は省略する。）、並びに金属製の各凸状部材（符号は省略する。）により連結されていることから、上記火炎の温度によりそれぞれ樹脂製の枠体（符号は省略する。）が溶融した場合であっても、その位置が変化することがない。したがって、この実施の形態に係る防火用建具１によれば、より一層防火機能を向上させることができる。
【００４８】
なお、上記実施の形態に係る防火用建具１は、一枚の（内側及び外側）フロートガラス２３，３３と（内側（耐熱強化ガラス板２４，３４とを備えた引き違い窓である防火用建具１（屋外側窓６と屋内側窓７を備えた防火用建具１）に本発明を適用したものであるが、この引き違い窓は、図示しない２枚のフロートガラスと内側耐熱強化ガラス板との３層からなるものであっても良いし、さらに、こうした引き違い窓ばかりではなく、開閉機能を持たない所謂はめ殺し窓や、上記フロートガラスと耐熱強化ガラス板とを備えたドア、縦滑り出し窓、或いは、連窓等に本発明を適用したものであっても良い。
【符号の説明】
【００４９】
１  防火用建具
２  上側外枠
３  下側外枠
４  左側外枠
５  右側外枠
６  屋外側窓
７  屋内側窓
１８  上側枠体
１９  下側枠体
２０  左側枠体
２１  右側枠体
２３  外側フロートガラス板
２４  外側耐熱強化ガラス板
２８  上側枠体
２８ａ  屋外側板部
２８ｂ  屋内側板部
２９  下側枠体
３０  左側枠体
３０ａ  屋外側板部
３０ｂ  屋内側板部
３１  右側枠体
３１ａ  屋外側板部
３１ｂ  屋内側板部
３３  内側フロートガラス板
３４  内側耐熱強化ガラス板
４３  第１の固定ネジ
４４  加熱膨張材
４５  第１の上部金属製補強材
４６  第２の上部金属製補強材
４８  第３の上部金属製補強材
５０  第２の固定ネジ
５１  凸状部材
５５  上部挟持部材
５８  他方の係合部材
８０  第１の固定ネジ
８１  第１の左側金属製補強材
８２  第２の左側部金属製補強材
８３  第３の左側金属製補強材
８４  第２の固定ネジ
８５  凸状部材
８８  左側挟持部材
９１  他方の係合部材
１０１  第１の右側金属製補強部材
１０２  第２の左金属製補強材
１０３  第１の固定ネジ
１０４  第３の右側金属製補強材
１０５  右側挟持部材
１０６  第２の固定ネジ
１０７  凸条部材
１０８  他方の係合部材
１１２，１１３  被覆材
【図１】
2018141311.tif 000003
【図２】
2018141311.tif 000004
【図３】
2018141311.tif 000005
【図４】
2018141311.tif 000006
【図５】
2018141311.tif 000007
【図６】
2018141311.tif 000008
【図７】
2018141311.tif 000009
【図８】
2018141311.tif 000010
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
枠体の内側に配置されてなるとともに、最も屋外側又は最も屋内側に固定された網ガラス又は耐熱強化ガラス板とされた特定のガラス板と、この特定のガラス板に対向して固定された他のガラス板と、を備えた防火用建具において、
上記特定のガラス板の少なくとも上端又は左端若しくは右端の何れかは、上記他のガラス板の上端又は左端若しくは右端よりも上記枠体の内周側に接近するように所定の長さ延出され、
上記特定のガラス板の延出された部位は、上記枠体の一部と該枠体内に配置された挟持部材により挟持されてなるとともに、
上記挟持部材には一方の係合部材が固定され、前記枠体の内側であって該挟持部材が配置された位置の近傍には係合凸部が固定されてなり、
上記一方の係合部材と係合凸部とは、該挟持部材を前記枠体内に配置した後に装着される他方の係合部材にそれぞれ係合されてなるとともに、該他方の係合部材には、該挟持部材が前記特定のガラス板と離間する方向に移動することを規制する移動規制片を有してなることを特徴とする防火用建具。
【請求項２】
前記枠体は樹脂を素材としてなるとともに、該枠体には金属板が固定されてなる一方、前記挟持部材、前記一方の係合部材、前記係合凸部及び前記他方の係合部材は、何れも金属を素材としてなり、上記係合凸部は、上記金属板と直接連結され又は間に金属製の部材を介して互いに連結されてなることを特徴とする請求項１記載の防火用建具。
【手続補正２】
【補正対象書類名】明細書
【補正対象項目名】０００６
【補正方法】変更
【補正の内容】
【０００６】
本発明は、上記課題を解決するために提案されたものであって、第１の発明（請求項１記載の発明）は、枠体の内側に配置されてなるとともに、最も屋外側又は最も屋内側に固定された網ガラス又は耐熱強化ガラス板とされた特定のガラス板と、この特定のガラス板に対向して固定された他のガラス板と、を備えた防火用建具において、上記特定のガラス板の少なくとも上端又は左端若しくは右端の何れかは、上記他のガラス板の上端又は左端若しくは右端よりも上記枠体の内周側に接近するように所定の長さ延出され、上記特定のガラス板の延出された部位は、上記枠体の一部と該枠体内に配置された挟持部材により挟持されてなるとともに、上記挟持部材には一方の係合部材が固定され、前記枠体の内側であって該挟持部材が配置された位置の近傍には係合凸部が固定されてなり、上記一方の係合部材と係合凸部とは、該挟持部材を前記枠体内に配置した後に装着される他方の係合部材にそれぞれ係合されてなるとともに、該他方の係合部材には、該挟持部材が前記特定のガラス板と離間する方向に移動することを規制する移動規制片を有してなることを特徴とするものである。
【手続補正３】
【補正対象書類名】明細書
【補正対象項目名】０００９
【補正方法】変更
【補正の内容】
【０００９】
また、この発明では、上記挟持部材には一方の係合部材が固定され、前記枠体の内側であって該挟持部材が配置された位置の近傍には係合凸部が固定されてなり、上記一方の係合部材と係合凸部とは、該挟持部材を前記枠体内に配置した後に装着される他方の係合部材にそれぞれ係合されてなるとともに、該他方の係合部材には、該挟持部材が前記特定のガラス板と離間する方向に移動することを規制する移動規制片を有している。換言すれば、枠体に固定された係合凸部は、上記他方の係合部材により互いに係合し、該他方の係合部材は、一方の係合部材と係合されている。この一方の係合部材は、上記挟持部材に固定されている。すなわち、この第１の発明では、上記特定のガラス板を枠体の一部と挟持してなる上記挟持部材は、上記係合凸部、一方及び他方の係合部材を介して、枠体に係合している。そしてさらに、この第１の発明では、上記他方の係合部材には、上記挟持部材が前記特定のガラス板と離間する方向に移動することを規制する移動規制片を有している。したがって、この発明によれば、上記移動規制片により、特定のガラス板から離間する方向に移動することが規制・阻止され、より一層防火機能を向上させることができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
また、第２の発明（請求項２記載の発明）は、上記第１の発明において、前記前記枠体は樹脂を素材としてなるとともに、該枠体には金属板が固定されてなる一方、前記挟持部材、前記一方の係合部材、前記係合凸部及び前記他方の係合部材は、何れも金属を素材としてなり、上記係合凸部は、上記金属板と直接連結され又は間に金属製の部材を介して互いに連結されてなることを特徴とするものである。
【手続補正１０】
【補正対象書類名】明細書
【補正対象項目名】００１６
【補正方法】変更
【補正の内容】
【００１６】
この第２の発明に係る防火用建具では、上記枠体は樹脂を素材としてなる（樹脂により成形されてなる）ものであり、金属板が固定されている。一方、先に説明した挟持部材、前記一方の係合部材、前記係合凸部及び前記他方の係合部材は、何れも金属を素材としてなり、上記係合凸部は、上記金属板と直接連結され又は間に金属製の部材を介して互いに連結されている。したがって、火炎の放射により、上記樹脂製の枠体が加熱されて一部が溶融又は変形した場合であっても、上記一方の係合部材、前記係合凸部及び前記他方の係合部材は、直接的又は間接的に上記金属板に連結されていることから、上記挟持部材が位置ずれを起こしたり脱落したりする事態は確実に防止され、この結果、上記特定のガラス板は、極めて安定的に当初の位置を保持することができる。なお、上記金属の種類は、少なくとも枠体の素材である樹脂の融点よりも相対的に高い融点とされたものであれば、鉄、ステンレススチール、アルミニウムその他の金属を使用することができる。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
特に、この第１の発明では、火炎の放射により上記特定のガラス板以外の他のガラス板やスペーサが脱落した場合であっても、上記挟持部材は、上記移動規制片により、特定のガラス板から離間する方向に移動することが規制・阻止され、より一層防火機能を向上させることができる。
【手続補正１３】
【補正対象書類名】明細書
【補正対象項目名】００２０
【補正方法】変更
【補正の内容】
【００２０】
また、第２の発明（請求項２記載の発明）に係る防火用建具によれば、火炎の放射により、上記樹脂製の枠体が加熱されて一部が溶融又は変形した場合であっても、上記一方の係合部材、前記係合凸部及び前記他方の係合部材は、直接的又は間接的に上記金属板に連結されていることから、上記挟持部材が位置ずれを起こしたり脱落したりする事態は確実に防止され、この結果、上記特定のガラス板は、極めて安定的に当初の位置を保持することができる。